(57)【要約】【課題】コンテンツ表示装置において、簡単な操作で所望の撮像画像を検索でき、ユーザにとって使い勝手が良いようにする。【解決手段】コンテンツ表示装置のメモリには、撮像画像を分類するためのイベント名と、イベント名をさらに詳細に分類するためのタイトル名と、タイトル名に対応する日付情報とが記憶されている。サーバに記録されている撮像画像を検索するとき、コンテンツ表示装置のディスプレイには、各イベント名８１〜８４が表示され、ユーザによって、「誕生日」８１が選択されると、「誕生日」８１をさらに詳細に分類する、「娘」８５、「息子」８６、「ママ」８７、及び「パパ」８８のタイトル名が表示される。ユーザによって「娘」８５が選択されると、「娘」８５に対応する日付情報を用いて、撮像日がこの日付情報が示す日付である撮像画像が検索されて、検索された撮像画像がディスプレイに表示される。【選択図】図１０
2009116498.tif 000002
【特許請求の範囲】
【請求項１】
撮像画像データ（以下、撮像画像という）が記録された記録媒体を有するサーバとネットワークを介して接続され、
前記サーバから前記撮像画像を受信するための受信手段と、
前記受信手段により受信された前記撮像画像を表示するための表示手段と、
ユーザによって操作される操作手段と、
装置各部を制御する制御手段と、
前記制御手段を動作させるためのプログラムが記憶された記憶手段とを備えたコンテンツ表示装置において、
前記サーバの前記記録媒体には、前記撮像画像の撮像日がさらに記録され、
前記記憶手段には、
前記撮像画像を分類するための分類名と、
前記分類名をさらに詳細に分類するための詳細分類名と、
前記詳細分類名に対応する日付情報とがさらに記憶され、
前記制御手段は、
ユーザによって前記詳細分類名が選択されると、選択された該詳細分類名に対応する前記日付情報を用いて、該日付情報の条件を満たす前記撮像日に撮像された前記撮像画像を検索することを特徴とするコンテンツ表示装置。
【請求項２】
前記日付情報は、年情報、年月情報、月情報、月日情報、又は年月日情報であることを特徴とする請求項１に記載のコンテンツ表示装置。
【発明の詳細な説明】
【技術分野】
【０００１】
本発明は、コンテンツ表示装置に関し、ユーザが所望の撮像画像を検索しやすくする技術に関する。
【背景技術】
【０００２】
近年、ＤＬＮＡ（Ｄｉｇｉｔａｌ  Ｌｉｖｉｎｇ  Ｎｅｔｗｏｒｋ  Ａｌｌｉａｎｃｅ）に対応したネットワークプレーヤ、及びホームサーバ(以下、サーバという)等の情報機器を、ネットワークを介して接続し、これらの機器同士がＵＰｎＰ（Ｕｎｉｖｅｒｓａｌ  Ｐｌｕｇ  ａｎｄ  Ｐｌａｙ）規格に従って通信を行うものが普及している。
【０００３】
また、従来から、デジタルスチールカメラ（以下、カメラという）によって撮像された撮像画像データ（以下、撮像画像）を、ＮＡＳ（Ｎｅｔｗｏｒｋ  Ａｔｔａｃｈｅｄ  Ｓｔｏｒａｇｅ）などのサーバに記録し、このサーバとネットワークを介して接続されたネットワークプレーヤを用いて表示することがある。ユーザはネットワークプレーヤを操作することにより、サーバに記録された撮像画像の中から所望の撮像画像を検索する。しかし、大量に記録された撮像画像の中から所望の撮像画像を検索することは困難であり、ユーザにとって操作が煩雑である。
【０００４】
これに対して、特許文献１には、所望の撮像画像を検索するとき、撮像画像が記録されたフォルダの一覧を表示し、フォルダ画面には、フォルダ名（年月日）と共に、「入学式」等のイベントを想起可能なアイコンを表示するネットワークプレーヤが開示されている。ユーザは記憶を頼りに、各フォルダの日付及びアイコン表示に基いて所望の撮像画像を探すことができる。しかし、このネットワークプレーヤでは、全てのフォルダの中から所望の撮像画像が記録されたフォルダを探した後、さらに所望の撮像画像を探す操作が必要であるため、ユーザにとって操作が煩雑であり、上記問題を解決できない。
【０００５】
また、特許文献２には、ユーザによって入力された簡単な検索文を構文解析し、検索語の情報を指標として撮像画像を検索することができるネットワークプレーヤが開示されている。しかし、このネットワークサーバでは確実に所望の撮像画像を検索することができないことがある。
【０００６】
また、特許文献３には、撮像画像をサーバにアップロードすることができる複数のラボと、撮像画像を記録するサーバとを備え、サーバは、撮像画像を記録すると共に、この撮像画像をアップロードしたラボの所在地を記録する撮像画像システムが開示されている。しかし、このシステムでは所在地の情報に関連した撮像画像以外を検索することが困難であり、ユーザにとって操作が煩雑である。
【特許文献１】特開２００７−３４４５８号公報
【特許文献２】特開２００６−２３５９１０号公報
【特許文献３】特開２００４−１９９６６６号公報
【発明の開示】
【発明が解決しようとする課題】
【０００７】
本発明は、上述した問題点を解決するためになされたものであり、簡単な操作で所望の撮像画像を検索することができ、ユーザにとって使い勝手が良いコンテンツ表示装置を提供することを目的とする。
【課題を解決するための手段】
【０００８】
上記目的を達成するために請求項１の発明は、撮像画像データ（以下、撮像画像という）が記録された記録媒体を有するサーバとネットワークを介して接続され、前記サーバから前記撮像画像を受信するための受信手段と、前記受信手段により受信された前記撮像画像を表示するための表示手段と、ユーザによって操作される操作手段と、装置各部を制御する制御手段と、前記制御手段を動作させるためのプログラムが記憶された記憶手段とを備えたコンテンツ表示装置において、前記サーバの前記記録媒体には、前記撮像画像の撮像日がさらに記録され、前記記憶手段には、前記撮像画像を分類するための分類名と、前記分類名をさらに詳細に分類するための詳細分類名と、前記詳細分類名に対応する日付情報とがさらに記憶され、前記制御手段は、ユーザによって前記詳細分類名が選択されると、選択された該詳細分類名に対応する前記日付情報を用いて、該日付情報の条件を満たす前記撮像日に撮像された前記撮像画像を検索することを特徴とする。
【０００９】
請求項２に記載の発明は、請求項１に記載のコンテンツ表示装置において、前記日付情報は、年情報、年月情報、月情報、月日情報、又は年月日情報であることを特徴とする。
【発明の効果】
【００１０】
本発明によれば、詳細分類名に対応する日付情報を用いて、日付情報の条件を満たす撮像日に撮像された撮像画像を検索するので、ユーザは、詳細分類名を選択することにより、撮像画像を絞り込んで検索することができる。そのため、簡単な操作で所望の撮像画像を検索することができ、ユーザにとって使い勝手が良い。
【発明を実施するための最良の形態】
【００１１】
以下、本発明の一実施形態に係るネットワークプレーヤ（コンテンツ表示装置）について、図１乃至図４を参照して説明する。図１は、ネットワークプレーヤ２と、ホームネットワークサーバ（以下、サーバという）３とを含むホームネットワークシステム１の概略を示し、図２は、ネットワークプレーヤ２の内部構成を示すブロック図であり、図３は、サーバ３の内部構成を示すブロック図であり、図４は、サーバ３に記録された撮像画像データを示す概念図である。ネットワークプレーヤ２とサーバ３とはネットワーク４を介して接続されている。
【００１２】
サーバ３には撮像画像データ（以下、撮像画像という）や、音楽コンテンツデータや、動画コンテンツデータが記録されている。ネットワークプレーヤ２はネットワーク４を介してサーバ３から各種コンテンツを受信して、ディスプレイ２１に表示することができる。
【００１３】
ネットワークプレーヤ２とサーバ３とはＤＬＮＡ（Ｄｉｇｉｔａｌ  Ｌｉｖｉｎｇ  Ｎｅｔｗｏｒｋ  Ａｌｌｉａｎｃｅ）に対応しており、ネットワーク４上の他のＤＬＮＡ対応機器の追加、又は削除を容易に行うことができる。
【００１４】
ネットワークプレーヤ２は、図２に示すように、ユーザによって操作され、装置各部を指示するための操作部（操作手段）２２と、ネットワーク４（図１参照）に接続され、サーバ３から各種コンテンツやコンテンツ情報等を受信するためのネットワークインタフェース（受信手段）２４と、撮像画像等を表示するためのディスプレイ（表示手段）２１と、音声等を出力するスピーカ（出力手段）２２とを備える。
【００１５】
また、ネットワークプレーヤ２は、ネットワークプレーヤ２の装置各部の制御を行うための制御用マイコン（制御手段）２０と、制御用マイコン２０を動作させるためのプログラムや、サーバ３から受信した各種コンテンツの情報を記憶するためのメモリ２５とをさらに備える。
【００１６】
メモリ２５には、撮像画像を分類するためのイベント名（分類名）と、イベント名をさらに詳細に分類するためのタイトル名（詳細分類名）と、タイトル名に対応する日付情報とがさらに記憶されている。タイトル名とは、具体的には、例えば、イベント名「誕生日」という分類をさらに詳細に分類するための「父（の誕生日）」や「娘（の誕生日）」などの情報を示すものである。イベント名やタイトル名は、ユーザによって入力され、メモリ２５に記憶される。入力手順の詳細については後述する。
【００１７】
日付情報は、撮像画像の撮像日に対応するものであり、年情報、年月情報、月情報、月日情報、又は年月日情報を含むものである。具体的には、年情報が２００７年である場合、撮像日が２００７年に対応し、年月情報が２００７年９月である場合、撮像日が２００７年９月に対応する。また、月情報が９月である場合、撮像日が９月に対応し、月日情報が９月１８日である場合、撮像日が９月１８日に対応し、年月日情報が２００７年９月１８日である場合、撮像日が２００７年９月１８日に対応する。
【００１８】
サーバ３は、図３に示すように、ユーザによって操作され、各部に指示を与えるための操作部３１と、ネットワーク４（図１参照）に接続するためのネットワークインタフェース３４と、撮像画像が記録されたＨＤＤ（ハードディスクドライブ；請求項における記録媒体）３２と、サーバ３の装置各部を制御するための制御用マイコン３０と、制御用マイコン３０を動作させるためのプログラム等が記録されたメモリ３３とを備える。ＨＤＤ３２には、撮像画像に加えて、撮像画像が撮像された撮像日がさらに記録されている。
【００１９】
図４は、ＨＤＤ３２に記録された撮像画像のファイル名と撮像日の情報を含むファイルリスト５を示す。ファイルリスト５には、撮像画像のファイル名５１と、この撮像画像の撮像日５２と、その他の情報５３とが記録されている。ファイル名５１が「Ａ．ＪＰＧ」である撮像画像の撮像日５２は、図４に示すように、「２００７年９月１８日」である。
【００２０】
次に、ネットワークプレーヤ２によるタイトル名等の入力手順について、図５及び図６を参照して説明する。ここでは、予めイベント名として「誕生日」、「運動会」、「キャンプ」、及び「旅行」が入力されているものとする。図５に示すように、まず、ユーザは操作部２２を操作することにより、タイトル名等を入力するためのイベント日登録画面を表示させる。この画面には、「誕生日」、「運動会」、「キャンプ」、及び「旅行」の各イベント名が表示され、この中からタイトル名等の情報を入力するイベント名を選択する。
【００２１】
ユーザによって「誕生日」が選択されると、図６に示すように、ディスプレイ２１には、イベント名をさらに分類するためのタイトル名６４や、このタイトル名６４に対応する日付情報６１〜６３を入力するための画面が表示される。ユーザは、日付情報として、年情報６１、月情報６２、及び日情報６３を入力する。また、ユーザは、タイトル名６４に所望のタイトルを入力する。
【００２２】
年情報６１には、特定の年情報、例えば、「２００７年」が入力されてもよいし、不特定の年情報、例えば、「毎年」や「偶数年」や「奇数年」等の任意の条件が入力されてもよい。月情報６２には、特定の月情報、例えば、「２月」が入力されてもよいし、不特定の月情報、例えば、「毎月」や「偶数月」や「奇数月」等の任意の条件が入力されてもよい。日情報６３には、特定の日情報、例えば、「１６日」が入力されてもよいし、不特定の日情報、例えば、「毎日」や「偶数日」や「奇数日」等の任意の条件が入力されてもよい。
【００２３】
ここでは、図６に示すように、ユーザによって、タイトル名６４には「娘」を入力し、年情報６１には「毎年」、月情報６２には「２月」、日情報６３には「１６日」を入力したものとする。
【００２４】
次に、撮像画像の検索手順について、図７乃至図１２を参照して説明する。ここでは、ネットワークプレーヤ２が、サーバ３のＨＤＤ３２に記録されている撮像画像の中から所望の撮像画像を検索するものとする。まず、図７に示すように、ユーザは、ディスプレイ２１に表示されたメニュー画面の中から所望の検索メニューを選択する。メニュー画面には、撮像画像の検索を指示するための「写真」７１と、音楽コンテンツの検索を指示するための「音楽」７２と、動画コンテンツの検索を指示するための「ビデオ」７３が表示されている。
【００２５】
ユーザによって「写真」７１のメニューが選択されると、図８に示すように、イベント名による検索を指示するための「イベント」７４と、撮像画像のファイル名等を指定することによる検索を指示するための「検索」７５と、サーバ３に記録された撮像画像の表示を指示するための「サーバ」７６とが表示される。
【００２６】
ユーザによって「イベント」７４が選択されたとすると、図９に示すように、ディスプレイ２１には、「誕生日」８１、「運動会」８２、「キュンプ」８３、及び「旅行」８４の各イベント名が表示される。ユーザによって、この中から「誕生日」８１が選択されると、「誕生日」８１をさらに詳細に分類するタイトル名が表示される。
【００２７】
具体的には、図１０に示すように、ディスプレイ２１に、「娘」８５、「息子」８６、「ママ」８７、及び「パパ」８８のタイトル名が表示される。ここでは、ユーザによって「娘」８５が選択されたものとする。「娘」８５は、上記図６に示される画面において登録したタイトルであり、このタイトルに対応する日付情報は、年情報６１（図６参照）が「毎年」であり、月情報６２（図６参照）が「２月」であり、日情報６３（図６参照）が「１６日」であるものとする。
【００２８】
そして、図１１に示すように、「娘」８５（図１０参照）の日付情報の年情報６１（図６参照）が「毎年」と指定されているので、ディスプレイ２１には、「娘」８５に対応する撮像画像の撮像された年を選択する画面が表示される。具体的には、撮像画像の撮像日を年別に検索することによって、ここでは、「２００７年」９１、「２００６年」９２、「２００５年」９３、「２００４年」９４、及び「２００３年」９５が選択できるものとする。
【００２９】
ユーザによって「２００７年」が選択されると、撮像日が２００７年２月１６日である撮像画像が検索され、図１０に示すように、ディスプレイ２１には、検索された撮像画像１０１〜１１２が表示される。
【００３０】
上述したように、本実施形態に係るネットワークプレーヤ３によれば、タイトル名に対応する日付情報を用いて、日付情報の条件を満たす撮像日に撮像された撮像画像を検索するので、ユーザは、タイトル名を選択することにより、撮像画像を絞り込んで検索することができる。そのため、簡単な操作で所望の撮像画像を検索することができ、ユーザにとって使い勝手が良い。
【００３１】
なお、本発明は、上記実施形態の構成に限られず、発明の趣旨を変更しない範囲で種々の変形が可能である。例えば、上記実施形態では、ネットワークプレーヤ２が撮像画像を表示することができる例を示したが、これに限られず、ＰＣ等が撮像画像を表示するものであってもよい。
【図面の簡単な説明】
【００３２】
【図１】本発明の一実施形態に係るネットワークプレーヤと、サーバとを含むネットワークシステムの概略図。
【図２】上記ネットワークプレーヤの内部構成を示すブロック図。
【図３】上記サーバの内部構成を示すブロック図。
【図４】上記サーバに記録されるデータの説明図。
【図５】上記ネットワークプレーヤにおけるイベント登録の手順を示す説明図。
【図６】上記ネットワークプレーヤにおける誕生日登録の手順を示す説明図。
【図７】上記ネットワークプレーヤにおけるメニュー画面を示す説明図。
【図８】上記ネットワークプレーヤにおけるメニュー画面を示す説明図。
【図９】上記ネットワークプレーヤにおけるイベント選択画面を示す説明図。
【図１０】上記ネットワークプレーヤにおけるイベント選択画面を示す説明図。
【図１１】上記ネットワークプレーヤにおける年選択画面を示す説明図。
【図１２】上記ネットワークプレーヤにおける撮像画像一覧画面を示す説明図。
【符号の説明】
【００３３】
２  ネットワークプレーヤ（コンテンツ表示装置）
３  サーバ
２０  制御用マイコン（制御手段）
２１  ディスプレイ（表示手段）
２２  操作部（操作手段）
２４  ネットワークインタフェース（受信手段）
２５  メモリ（記憶手段）
３０制御用マイコン
３２  ＨＤＤ（記録手段）
６１  年情報（日付情報）
６２  月情報（日付情報）
６３  日情報（日付情報）
６４  タイトル名（詳細分類名）
８１  イベント名（分類名）
８２  イベント名（分類名）
８３  イベント名（分類名）
８４  イベント名（分類名）
【図１】
2009116498.tif 000003
【図２】
2009116498.tif 000004
【図３】
2009116498.tif 000005
【図４】
2009116498.tif 000006
【図５】
2009116498.tif 000007
【図６】
2009116498.tif 000008
【図７】
2009116498.tif 000009
【図８】
2009116498.tif 000010
【図９】
2009116498.tif 000011
【図１０】
2009116498.tif 000012
【図１１】
2009116498.tif 000013
【図１２】
2009116498.tif 000014